(57)【要約】【課題】簡単な取付構造によって確実に釣糸ガイドが釣竿本体に固定された安価な釣竿の提供。【解決手段】この釣竿１０は、釣竿本体１１と複数の釣糸ガイド１３〜２０を備える。各釣糸ガイド１３〜２０は、ガイドフレーム２２及びガイドリング２３を有する。ガイドフレーム２２は脚２５を備え、この脚２５は、樹脂固定部２６によって釣竿本体１１に固定される。樹脂固定部２６は、紫外線の照射によって固化する紫外線硬化樹脂からなり、炭素繊維３１によって強化されている。炭素繊維３１は、ＰＡＮ系が採用される。炭素繊維３１の線径は５μｍ〜７μｍが好適であり、長さは０．５ｍｍ〜１．０ｍｍが好適である。【選択図】図２
2020182406.tif 000002
【特許請求の範囲】
【請求項１】
ガイドフレームを有する釣糸ガイドが釣竿本体に設けられている釣竿であって、
前記ガイドフレームは、前記釣竿本体の所定部位に当接配置される脚を有し、
前記脚は、強化繊維を含有する紫外線硬化樹脂からなる第１固定部により前記釣竿本体に固定されている釣竿。
【請求項２】
前記強化繊維は、線径が５μｍ〜１８μｍの炭素繊維である請求項１に記載の釣竿。
【請求項３】
前記強化繊維の長さは、０．５ｍｍ〜１．０ｍｍである請求項２に記載の釣竿。
【請求項４】
前記強化繊維は、ＰＡＮ系炭素繊維であり、線径が５μｍ〜７μｍである請求項２又は３に記載の釣竿。
【請求項５】
前記強化繊維は、ピッチ系炭素繊維であり、線径が７μｍ〜１０μｍである請求項２又は３に記載の釣竿。
【請求項６】
前記脚は、前記第１固定部上に、さらに樹脂材からなる第２固定部により前記釣竿本体に固定されている請求項１から５のいずれかに記載の釣竿。
【請求項７】
前記第２固定部は、紫外線硬化樹脂を含む請求項６に記載の釣竿。
【発明の詳細な説明】
【技術分野】
【０００１】
この発明は、釣糸ガイドを備えた釣竿の構造、詳しくは、釣糸ガイドの取付構造に関するものである。
【背景技術】
【０００２】
釣糸リールを装着することができる釣竿は、複数の釣糸ガイドを備える。釣糸ガイドは、一般に、釣糸が挿通されるガイドリングと、これを保持するガイドフレームとを有する。ガイドフレームは、釣竿本体に固定される脚を有し、この脚は、たとえば木綿糸が巻回されることにより釣竿本体に固定される。なお、この木綿糸の上から樹脂が塗布され、脚の固定部分が仕上げられる（たとえば特許文献１参照）。この木綿糸の上から塗布される樹脂には、たとえば必要に応じてエポキシ樹脂、ウレタン樹脂やプレポリマー、モノマー、光重合開始剤、添加剤等からなる紫外線硬化樹脂が採用されることがある（たとえば特許文献２参照）。
【０００３】
特許文献１に開示された脚の固定方法では、木綿糸がガイドフレームの脚に密に巻き付けられるが、この作業は一般に熟練を要し、その結果、釣竿の製造コストが高くなる。そのうえ、木綿糸の上から樹脂が塗布された場合、さらに製造コストが上昇する。そのため、かかる木綿糸による前記脚の固定に代えて、樹脂シートにより前記脚を固定する方法も提案されている（たとえば特許文献３参照）。すなわち、たとえば炭素繊維に樹脂が含浸されたプリプレグシートによって、ガイドフレームの脚が釣竿本体の所定位置に位置決めされ、加熱処理により前記脚が釣竿本体に固定される。この方法では、ガイドフレームが簡単に釣竿本体に固定される。
【先行技術文献】
【特許文献】
【０００４】
【特許文献１】特開２０１８−１５７７６９号公報
【特許文献２】特開２００６−３４２２８号公報
【特許文献３】特開２０１８−１１３９２６号公報
【発明の概要】
【発明が解決しようとする課題】
【０００５】
しかしながら、前述のようにプリプレグシートが採用された場合、ガイドフレームを釣竿本体に固定する作業が、木綿糸の巻回に比べれば若干簡略化されるとしても、やはり、プリプレグシートを巻き付ける作業は容易ではない。しかも、プリプレグシートは一般に高価であり、これを硬化させるための熱処理行程が必要となり、結局のところ製品としての釣竿のコストダウンを実現することは困難である。
【０００６】
本発明はかかる背景のもとになされたものであり、その目的は、簡単な取付構造によって確実に釣糸ガイドが釣竿本体に固定された安価な釣竿を提供することである。
【課題を解決するための手段】
【０００７】
(1) 本発明に係る釣竿は、ガイドフレームを有する釣糸ガイドが釣竿本体に設けられている釣竿である。前記ガイドフレームは、前記釣竿本体の所定部位に当接配置される脚を有する。この脚は、強化繊維を含有する紫外線硬化樹脂からなる第１固定部により前記釣竿本体に固定されている。
【０００８】
この構成によれば、紫外線硬化樹脂からなる第１固定部によってガイドフレームの脚が釣竿本体に取り付けられる。この紫外線硬化樹脂は、紫外線の照射により固まり、前記脚を釣竿本体に固定する。しかも、前記紫外線硬化樹脂は強化繊維を含有するから、前記脚に外力が作用しても釣糸ガイドとして十分な強度を発揮する。
【０００９】
(2) 前記強化繊維は、線径が５μｍ〜１８μｍの炭素繊維であるのが好ましい。さらに、前記強化繊維の長さは、０．５ｍｍ〜１．０ｍｍであるのが好ましい。特に、前記強化繊維は、ＰＡＮ系炭素繊維であり且つ線径が５μｍ〜７μｍ、あるいは、ピッチ系炭素繊維であり且つ線径が７μｍ〜１０μｍであるのが好ましい。
【００１０】
(3) 前記脚は、前記第１固定部上に、さらに樹脂材からなる第２固定部により前記釣竿本体に固定されているのが好ましい。この第２固定部は、紫外線硬化樹脂から構成されていてもよい。
【００１１】
この構成では、前記脚は、簡単な構造により、一層強固に釣竿本体に固定される。
【発明の効果】
【００１２】
この発明によれば、釣糸ガイドは、紫外線硬化樹脂によって釣竿本体に簡単な構造で強固に取り付けられる。この紫外線硬化樹脂は、紫外線の照射により固まり、前記釣糸ガイドの脚を釣竿本体に固定するから、釣糸ガイドを釣竿本体に取り付ける作業が簡単であり、釣竿の製造コストが低減される。
【図面の簡単な説明】
【００１３】
【図１】図１は、本発明の一実施形態に係る釣竿１０の正面図である。
【図２】図２は、釣竿１０の釣糸ガイド１５の取付構造を示す要部拡大断面図である。
【図３】図３は、本発明の一実施形態の第１の変形例に係る釣糸ガイド１５の取付構造を示す要部拡大断面図である。
【図４】図４は、本発明の一実施形態の第２の変形例に係る釣糸ガイド１５の取付構造を示す要部拡大断面図である。
【発明を実施するための形態】
【００１４】
以下、本発明の好ましい実施形態が、適宜図面が参照されつつ説明される。なお、本実施の形態は、本発明に係る釣竿の一態様にすぎず、本発明の要旨を変更しない範囲で実施態様が変更されてもよいことは言うまでもない。
【００１５】
図１は、本発明の一実施形態に係る釣竿の正面図である。
【００１６】
この釣竿１０は、釣竿本体１１と、その後端部を支持すると共に、図示されていない釣糸リールを着脱自在に保持するグリップ１２とを備えている。グリップ１２は、リールシート２１を備えており、図示されていない釣糸リールは、このリールシート２１に固定されるようになっている。
【００１７】
釣竿本体１１は、本実施形態では単一の棒状部材からなり、グリップ１２の内部に前方から後方に向かって（同図において左から右に向かって）挿通されている。釣竿本体１１は、既知の要領で成形される。すなわち、炭素繊維により強化された樹脂（プリプレグ）が所定形状に裁断され、これが筒状に巻回された後に熱処理が施されることによって、円筒状の竿管が焼成される。本実施形態では、釣竿本体１１は、いわゆるワンピースタイプとして構成されているが、本発明は、かかる仕様の釣竿本体１１に限定して適用されるものではなく、複数の竿管が接続されることによって釣竿本体１１が構成されるタイプのものであってもよい。
【００１８】
同図が示すように、釣竿本体１１は、複数の釣糸ガイド１３〜２０を備えており、これらは、所定間隔で配置されている。釣糸ガイド２０はいわゆるトップガイドと称され、釣竿本体１１の先端に設けられる。釣糸リールかがリールシート２１に固定され、この釣糸リールから繰り出された釣糸は、釣糸ガイド１３〜２０に順に挿通される。本実施形態に係る釣竿１０の特徴とするところは、各釣糸ガイド１３〜２０の取付構造である。
【００１９】
図２は、釣糸ガイド１５の取付構造を示す要部拡大断面図である。
【００２０】
釣糸ガイド１５は、既知の構成であり、ガイドフレーム２２及びガイドリング２３を備えている。ガイドリング２３は、本実施形態において円環状に形成され、釣糸が挿通される糸挿通孔を有している。もっとも、ガイドリング２３の外形形状は特に限定されるものではなく、前記糸挿通孔が設けられていれば、外形形状は楕円形や長円形等であってもよい。ガイドリング２３は耐摩耗性に優れた、種々の硬質材料からなり、典型的にはＳｉＣ（シリコンカーバイト）に代表されるセラミックや、各種の金属材料が使用される。金属材料としては、たとえばチタン合金が好適である。
【００２１】
ガイドフレーム２２は既知の構成であり、樹脂あるいは金属により構成されている。この樹脂は、典型的にはカーボン繊維やガラス繊維等の強化繊維含浸樹脂が採用され、金属としては、チタン合金やステンレス合金、アルミニウム合金等が採用され得る。ガイドフレーム２２は、本実施形態ではＬ字状に形成されており、リング装着部２４及び脚２５を備えている。脚２５は、釣竿本体１１の外周面上の所定位置に配置され、後述の要領で固定される。なお、一点鎖線３０は、釣竿本体１１の中心を示している。リング装着部２４は、脚２５に対して屈曲され、釣竿本体１１から遠ざかる向き（同図において上向き）に連続している。ガイドリング２３は、リング装着部２４に支持されている。具体的には、リング装着部２４は円環状に形成されており（不図示）、ガイドリング２３は、リング装着部２４の内側に嵌め込まれている。ガイドリング２３は、接着剤によりリング装着部２４に接着されていてもよい。
【００２２】
前記脚２５は、樹脂固定部２６（特許請求の範囲に記載された「第１固定部」に相当）により釣竿本体１１に固定されている。この樹脂は、紫外線硬化樹脂であり、典型的には、ＵＶペガロック塗料が採用され得る。この樹脂固定部２６は円環状を呈し、釣竿本体１１の周方向に沿って釣竿本体１１を囲繞している。前記脚２５は、この樹脂固定部２６に埋設された状態となる。樹脂固定部２６の肉厚寸法２７は、本実施形態では２．５ｍｍに設定されるが、０．５ｍｍ〜５ｍｍの範囲で適宜設計変更され得る。樹脂固定部２６の前後方向２９の寸法２８は、本実施形態では３ｍｍに設定されるが、脚２５の全体を覆う寸法であれば、特に限定されるものではない。
【００２３】
本実施形態では、樹脂固定部２６は炭素繊維３１を含有している。この炭素繊維３１は、樹脂固定部２６を構成する樹脂の機械的強度を向上させるものであり、たとえばＰＡＮ系炭素繊維が採用される。炭素繊維３１の線径は５μｍ〜７μｍが好適であり、長さは０．５ｍｍ〜１．０ｍｍが好適である。炭素繊維としてピッチ系炭素繊維が採用されてもよく、その場合、炭素繊維の線径は７μｍ〜１０μｍが好適である。もっとも、炭素繊維の線径は、５μｍ〜１８μｍの範囲で適宜設定され得る。炭素繊維３１の方向（炭素繊維３１の長さ方向）は、特に限定されるものではなく、前記前後方向２９に沿っていてもよいし、釣竿本体１１の周方向あるいは径方向に沿っていてもよい。また、炭素繊維３１の方向は、これらと交差する方向に沿っていてもよい。
【００２４】
前記ガイドフレーム２２の脚２５が釣竿本体１１の所定部位に配置された状態で、前記紫外線硬化樹脂が、脚２５を覆うように釣竿本体１１の周囲に塗布される。紫外線硬化樹脂の塗布は、たとえば刷毛にて行われる。その状態で、この紫外線硬化樹脂の上に炭素繊維３１が配置される。具体的には、たとえば炭素繊維３１を紫外線硬化樹脂の上にふりかける操作が行われる。さらに、紫外線が前記紫外線硬化樹脂に照射され、前記樹脂固定部２６が固化する。これにより、前記脚２５が強固に釣竿本体１１に取り付けられる。
【００２５】
本実施形態に係る釣竿１０では、ガイドフレーム２２の脚２５は、樹脂固定部２６によって釣竿本体１１に固定されるが、この脚２５を釣竿本体１１に固定する作業は、前記紫外線硬化樹脂が塗布され、その後に紫外線が照射されるという簡単な操作によって行われる。しかも、樹脂固定部２６は炭素繊維３１により強化されているから、脚２５が強固に固定される。つまり、釣糸ガイド１５は、簡単且つ安価に釣竿本体１１に強固に固定される。このことは、すべての釣糸ガイド１３〜２０にも当てはまるから、製造コストの上昇を抑えつつ、実釣において釣糸ガイド１３〜２０に外力が作用しても十分な強度を発揮する釣竿１０が提供される。
【００２６】
図３は、本実施形態の第１の変形例に係る釣糸ガイド１５の取付構造を示す要部拡大断面図である。
【００２７】
この変形例に係る取付構造が前記実施形態に係る取付構造と異なるところは、樹脂固定部２６の上に樹脂材３５（特許請求の範囲に記載された「第２固定部」に相当）が重ねて配置されている点である。樹脂材３５として、前記紫外線硬化樹脂が好ましいが、これに限定されるものではなく、要するに、前記樹脂固定部２６を被服し、補強するものであればよい。これにより、ガイドフレーム２２の脚２５は、簡単な構造で一層強固に釣竿本体１１に固定されるという利点がある。
【００２８】
樹脂材３５として前記紫外線硬化樹脂が採用された場合、前記実施形態と同様に刷毛等を用いて樹脂材３５が樹脂固定部２６の上に塗布され、その後に紫外線が照射され固化される。もっとも、この樹脂材３５に前記実施形態と同様に炭素繊維３１が含まれていてもよい。また、樹脂材３５として前記紫外線硬化樹脂に代えてプリプレグが採用されてもよい。
【００２９】
図４は、本実施形態の第２の変形例に係る釣糸ガイド１５の取付構造を示す要部拡大断面図である。
【００３０】
この変形例に係る取付構造が前記実施形態に係る取付構造と異なるところは、樹脂固定部２６に不織布３６が埋設されている点である。この不織布３６としては、繊維弾性率が１０００ｋｇｆ／ｍｍ２の不織布が採用され得る。不織布３６は、前記紫外線硬化樹脂が前記脚２５及び釣竿本体１１に塗布される前に、脚２５を覆うように配置される。この不織布３６が配置されることにより、実釣において釣糸ガイド１３〜２０に外力が作用した場合に、異音の発生を防止することができる。
【符号の説明】
【００３１】
１０・・・釣竿
１１・・・釣竿本体
１３・・・釣糸ガイド
１４・・・釣糸ガイド
１５・・・釣糸ガイド
１６・・・釣糸ガイド
１７・・・釣糸ガイド
１８・・・釣糸ガイド
１９・・・釣糸ガイド
２０・・・釣糸ガイド
２２・・・ガイドフレーム
２３・・・ガイドリング
２５・・・脚
２６・・・樹脂固定部
３５・・・樹脂材
【図１】
2020182406.tif 000003
【図２】
2020182406.tif 000004
【図３】
2020182406.tif 000005
【図４】
2020182406.tif 000006